(57)【特許請求の範囲】
【請求項１】
高電圧が印加される放電電極と、上記放電電極を冷却して放電電極部分に空気中の水分を基に静電霧化させるための水を生成させる冷却手段と、静電霧化したミストを放出する放出口とを備える静電霧化装置が設けられた空調装置であって、上記静電霧化装置は、高温度の空気または低湿度の空気を供給するエバポレータを具備する空調装置における調整後の空気の吹き出し口の近辺で且つ上記吹き出し口に至る送風路外に配設されているとともに、上記吹き出し口に隣接配置され、吹き出し口から吐出される調整された空気の流れに乗せるミストを放出する放出口と上記吹き出し口とが別体であってほぼ同面に位置し、且つ、上記放出口からのミストの放出方向の延長線と吹き出し口からの風の吐出方向とが交叉していることを特徴とする静電霧化装置を備えた空調装置。
【請求項２】
放電電極に対向するとともに放電電極との間に高電圧が印加される対向電極を静電霧化装置が備えていることを特徴とする請求項１記載の静電霧化装置を備えた空調装置。
【発明の詳細な説明】
【技術分野】
【０００１】
本発明は、静電霧化装置、殊にナノメータサイズの帯電微粒子水（ミスト）を発生させる静電霧化装置を備えた空調装置に関するものである。
【背景技術】
【０００２】
水を静電霧化することでナノメータサイズの帯電微粒子水（ミスト）を発生させる静電霧化装置が特許文献１で知られている。これは水が供給される放電電極と対向電極との間に高電圧を印加して放電させ、放電電極が保持している水にレイリー分裂を生じさせて霧化させることによってナノメータサイズの帯電微粒子水（ミスト）を発生させるものであり、このようにして形成されるミストはラジカルを含んでいるとともに長寿命であって、空間内への拡散を大量に行うことができ、室内の壁面や衣服やカーテンなどに付着した悪臭成分などに効果的に作用して無臭化することができるといった特徴を有している。
【０００３】
そして上記ミストは、空調装置の風に乗せることで室内に拡散させることができるが、静電霧化装置を空調装置内に組み込む場合、次の点が問題となる。すなわち、エバポレータやヒータといった機器を備えた空調装置内の送風路上に静電霧化装置を設置すると、空調装置によって調整された高温度の空気及び／又は低湿度の空気に静電霧化装置が晒されることになり、この場合、静電霧化させるために放電電極に供給している水が上記調整された空気によって蒸発してしまい、放電による静電霧化が阻害されてしまう。
【０００４】
特に放電電極を冷却することで空気中の水分を結露させて放電電極上に静電霧化させるための水を生成するようにした静電霧化装置では、水の補給の手間がいらないという点で優れた使い勝手を有するが、このタイプのものでは放電電極上に結露水を生成することすらできない場合が生じてしまう。
【０００５】
また、車載用の空調装置のように、エバポレータやヒータといった機器と、調整した空気を室内に吹き出す吹き出し口との間をダクトで形成した長い送風路で接続しているものにおいては、上記送風路内で静電霧化によりミストを発生させても、送風路内の温風はかなり高温低湿度であるために、吹き出し口に至るまでに消失してしまって、室内に吐出されるミスト量がきわめて少なくなる。
【特許文献１】特許第３２６０１５０号公報
【発明の開示】
【発明が解決しようとする課題】
【０００６】
本発明は上記の従来の問題点に鑑みて発明したものであって、静電霧化によって得たミストを効果的に室内に拡散させることができる静電霧化装置を備えた空調装置を提供することを課題とするものである。
【課題を解決するための手段】
【０００７】
上記課題を解決するために本発明は、高電圧が印加される放電電極と、上記放電電極を冷却して放電電極部分に空気中の水分を基に静電霧化させるための水を生成させる冷却手段と、静電霧化したミストを放出する放出口とを備える静電霧化装置が設けられた空調装置であって、上記静電霧化装置は、高温度の空気または低湿度の空気を供給するエバポレータを具備する空調装置における調整後の空気の吹き出し口の近辺で且つ上記吹き出し口に至る送風路外に配設されているとともに、上記吹き出し口に隣接配置され、吹き出し口から吐出される調整された空気の流れに乗せるミストを放出する放出口と上記吹き出し口とが別体であってほぼ同面に位置し、且つ、上記放出口からのミストの放出方向の延長線と吹き出し口からの風の吐出方向とが交叉していることに特徴を有している。
【０００８】
送風路外に配置された静電霧化装置での静電霧化によって得たミストは静電霧化装置の放出口から吐出された後、空調装置の吹き出し口からの風に乗って室内に拡散されるようにしたものである。
【発明の効果】
【０００９】
本発明は、静電霧化によって得たミストは静電霧化装置の放出口から吐出された後、空調装置の吹き出し口からの風に乗って室内に拡散されるものであり、吹き出し口に至るまでの送風路内でミストを発生させたりミストを混合するものではないために、水の生成に関する問題やミストの消失といった問題を招くことがないものである。
【発明を実施するための最良の形態】
【００１０】
以下、本発明を添付図面に示す実施形態に基いて説明すると、図２は車載用の空調装置２の一例を示しており、ブロア２０とフィルタ２２とエバポレータ２３とを備えて、吸い込み口２１から吸い込んだ車室内空気（並びに車室外空気）を調整した後、送風路２４を通じて複数の吹き出し口２５から車室内に吹き出すものとして形成されている。
【００１１】
静電霧化装置１は、上記複数の吹き出し口２５のうちの一つに隣接して配置されたもので、図１に示すように、放電電極１１と、この放電電極１１を囲む絶縁材からなる筒体の先端開口部に配設されて上記放電電極１１に対向する対向電極１２と、上記放電電極１１を冷却することで空気中の水分を放電電極上に結露させる冷却手段１３と、放電電極１１と対向電極１２との間に高電圧を印加する高圧電源部（図示せず）とからなるもので、ペルチェ素子で構成されている上記冷却手段１３は放熱用フィン１４を備えている。
【００１２】
この静電霧化装置１では、冷却手段１３で放電電極１１を冷却することで空気中の水分を結露させて放電電極１１上に結露水を生成し、この結露水を放電電極１１と対向電極１２との間の放電によって静電霧化させてナノメータサイズの帯電微粒子水（ミスト）Ｍを発生させるのであるが、このようにして発生させたミストＭは、放電電極１１を囲む筒体の先端開口部を放出口としてこの放出口から外部に吐出される。
【００１３】
ここにおいて、上記静電霧化装置１はその放出口が空調装置２における吹き出し口２５とほぼ同面に位置するように配設されているとともに、放出口の延長線が空調装置２における吹き出し口２５から吐出される風の吐出方向と交叉するように設置されており、このために静電霧化装置１の放出口から吐出されたミストＭは、吹き出し口２５から吐出される風の流れに乗って車室内に拡散される。
【００１４】
また、静電霧化装置１は、空調装置２における吹き出し口２５に至る送風路２４外に設置されており、このために放電電極２上への結露水の生成や静電霧化に関して、送風路２４内の流れる調整された空気の影響を受けることがなく、ミストＭの発生を確実に行うことができる。
【００１５】
なお、図示例では複数存在している吹き出し口２５のうちの一つに隣接させて静電霧化装置１を設けたものを示したが、複数の吹き出し口２５に夫々隣接させて複数の静電霧化装置１を設けたものであってもよいのはもちろんである。
【図面の簡単な説明】
【００１６】
【図１】本発明の実施の形態の一例の概略断面図である。
【図２】同上のブロック図である。
【符号の説明】
【００１７】
Ｍ  ミスト
１  静電霧化装置
２  空調装置
１１  放電電極
１２  対向電極
１３  冷却手段
１４  送風路
２５  吹き出し口
【図１】
0004492531.tif 000002
【図２】
0004492531.tif 000003